(57)【要約】      （修正有）【課題】巻線コイルが接続される端子電極の品質のバラ付きを抑えることが可能なコイル部品を提供する。【解決手段】コイル部品１０は、巻線３１を巻回することにより構成される巻線コイル３０と、該巻線コイル３０が配置される巻線部２１を有するボビン２０と、該ボビン２０に取り付けられると共に、巻線コイル３０の端末３１ａが電気的に導通する状態で接合される端子電極とを具備すると共に、ボビン２０には、端子電極が取り付けられる端子電極固定部２３が設けられていて、端子電極には、他の端子５０を接合するための取付部４３が設けられている。【選択図】図１
0003174350.tif 000002
【実用新案登録請求の範囲】
【請求項１】
巻線を巻回することにより構成される巻線コイルと、
前記巻線コイルが配置される巻線部を有するボビンと、
前記ボビンに取り付けられると共に、前記巻線コイルの端末が電気的に導通する状態で接合される端子電極と、
を具備すると共に、
前記ボビンには、前記端子電極が取り付けられる端子電極固定部が設けられていて、
前記端子電極には、他の端子を接合するための取付部が設けられている、
ことを特徴とするコイル部品。
【請求項２】
請求項１記載のコイル部品であって、
前記巻線部は円筒形状に設けられていて、この巻線部の両端側にはそれぞれ鍔部が設けられていて、
前記鍔部のうちいずれか一方には、当該鍔部から前記巻線部の円筒形状の軸線方向に沿って前記鍔部から離間する側に向かって突出する前記端子電極固定部が設けられていて、
前記端子電極固定部は、前記鍔部側に位置する台座部と、当該台座部から前記軸線方向に沿って前記鍔部空離間する側に向かって延伸する端子案内部と、前記端子案内部に設けられると共に当該端子案内部に取り付けられる複数の前記端子電極が互いに接触するのを防止する仕切り部とを具備し、
前記端子電極は、前記端子案内部と前記仕切り部とによって位置決めされた状態で取り付けられる、
ことを特徴とするコイル部品。
【請求項３】
請求項２記載のコイル部品であって、
前記端子電極は、前記端子案内部に沿う状態で当該端子案内部に取り付けられる長手部と、前記長手部の幅方向に沿って当該長手部から突出する側片部と、前記長手部のうち前記台座部から離間する側に位置する前記取付部とを具備し、
前記取付部は、凹部または凸部を有する嵌合部を備え、この嵌合部が前記他の端子の凸部または凹部を有する係合部に嵌まり込むことにより、前記他の端子が前記端子電極に対して位置決めされる、
ことを特徴とするコイル部品。
【請求項４】
請求項３記載のコイル部品であって、
前記端子案内部のうち前記台座部から前記軸線方向に沿って離間する端部側には、前記他の端子を位置決めする位置決め部が設けられている、
ことを特徴とするコイル部品。
【請求項５】
請求項３または４記載のコイル部品であって、
前記取付部は、前記側片部よりも前記台座部から前記軸線方向に沿って離間する側に設けられる、
ことを特徴とするコイル部品。
【考案の詳細な説明】
【技術分野】
【０００１】
本考案は、コイル部品に関する。
【背景技術】
【０００２】
たとえば、自動車のＡＢＳ（Antilock Braking System）には、複数のコイル部品が用いられている。このコイル部品は、ブレーキオイルを加減圧する油圧バルブを電磁力によって作動させるものであり、そのようなコイル部品としては、たとえば特許文献１に示すようなものがある。特許文献１に示すコイル部品は、ボビンと、巻線コイルと、端子電極とを主要な構成要素としていて、端子電極が端子電極固定部に取り付けられている。
【先行技術文献】
【特許文献】
【０００３】
【特許文献１】実用新案登録第３１４０８１７号公報
【考案の概要】
【考案が解決しようとする課題】
【０００４】
ところで、特許文献１に開示されているコイル部品の端子電極は、端子電極を形成するための金型（以下、端子金型とする。）によって形成されている。この端子電極の形状、大きさ（以下、これらを含めて端子電極のタイプとする。）は、コイル部品の設置スペースや配置形態等の関係で、種々のものが存在している。そして、それぞれのタイプの端子電極を形成する端子金型もそれぞれ存在している。
【０００５】
しかしながら、端子金型の品質にはバラ付きがあり、かかる端子金型によって形成される端子電極も、そのタイプ毎にバラ付きが生じることが多い。端子電極のタイプ毎に品質のバラ付きが生じると、そのタイプ毎に端子電極と巻線コイルの端末とを溶接するための溶接条件の設定を変更する必要が生じる。しかしながら、このような設定変更を行っても、コイル部品の品質にバラ付きが生じるのを抑制することは困難である。
【０００６】
本考案は、かかる問題に鑑みてなされたものであり、その目的とするところは、巻線コイルが接続される端子電極の品質のバラ付きを抑えることが可能なコイル部品を提供しようとするものである。
【課題を解決するための手段】
【０００７】
上記課題を解決するために、本考案のコイル部品の一側面は、巻線を巻回することにより構成される巻線コイルと、巻線コイルが配置される巻線部を有するボビンと、ボビンに取り付けられると共に、巻線コイルの端末が電気的に導通する状態で接合される端子電極と、を具備すると共に、ボビンには、端子電極が取り付けられる端子電極固定部が設けられていて、端子電極には、他の端子を接合するための取付部が設けられている、ものである。
【０００８】
また、本考案のコイル部品の他の側面は、上述の考案に加えて更に、巻線部は円筒形状に設けられていて、この巻線部の両端側にはそれぞれ鍔部が設けられていて、鍔部のうちいずれか一方には、当該鍔部から巻線部の円筒形状の軸線方向に沿って鍔部から離間する側に向かって突出する端子電極固定部が設けられていて、端子電極固定部は、鍔部側に位置する台座部と、当該台座部から軸線方向に沿って鍔部空離間する側に向かって延伸する端子案内部と、端子案内部に設けられると共に当該端子案内部に取り付けられる複数の端子電極が互いに接触するのを防止する仕切り部とを具備し、端子電極は、端子案内部と仕切り部とによって位置決めされた状態で取り付けられる、ことが好ましい。
【０００９】
さらに、本考案のコイル部品の他の側面は、上述の考案に加えて更に、端子電極は、端子案内部に沿う状態で当該端子案内部に取り付けられる長手部と、長手部の幅方向に沿って当該長手部から突出する側片部と、長手部のうち台座部から軸線方向に沿って離間する側に位置する取付部とを具備し、取付部は、凹部または凸部を有する嵌合部を備え、この嵌合部が他の端子の凸部または凹部を有する係合部に嵌まり込むことにより、他の端子が端子電極に対して位置決めされる、ことが好ましい。
【００１０】
また、本考案のコイル部品の他の側面は、上述の考案に加えて更に、端子案内部のうち台座部から離間する端部側には、他の端子を位置決めする位置決め部が設けられている、ことが好ましい。
【００１１】
さらに、本考案のコイル部品の他の側面は、上述の考案に加えて更に、取付部は、側片部よりも台座部から軸線方向に沿って離間する側に設けられる、ことが好ましい。
【考案の効果】
【００１２】
本考案によると、コイル部品において、巻線コイルが接続される端子電極の品質のバラ付きを抑えることが可能となる。
【図面の簡単な説明】
【００１３】
【図１】本考案の一実施の形態に係るコイル部品の構成を示す斜視図である。
【図２】図１のコイル部品のうち、上方側の構成を拡大して示す部分的な斜視図である。
【図３】図１のコイル部品のうち、端子電極固定部の構成を拡大して示す部分的な斜視図である。
【図４】図１のコイル部品のうち、端子電極の構成を示す部分的な斜視図である。
【図５】端子電極に取り付けられるユーザ端子の構成を示す斜視図である。
【図６】図１のコイル部品の上方側において、図５のユーザ端子とは異なるユーザ端子が取り付けられた状態を示す部分的な斜視図である。
【図７】従来のコイル部品の構成を示す斜視図である。
【考案を実施するための形態】
【００１４】
以下、本考案の一実施の形態に係る、コイル部品１０について、図面に基づいて説明する。なお、以下の各図においては、コイル部品１０の中心軸線Ｌに沿う方向（軸線方向）を上下方向として説明するが、上下方向はＺ方向としても説明する。このＺ方向においては、Ｚ１側を上方側、Ｚ２側を下方側として説明する。なお、以下の説明においては、Ｚ方向に直交する方向のうち中心軸線Ｌから端子電極固定部２３に向かう方向をＸ方向とし、Ｘ方向およびＺ方向に直交する方向をＹ方向とする。
【００１５】
図１に示すように、コイル部品１０は、ボビン２０と、巻線コイル３０と、端子電極４０とを有している。
【００１６】
ボビン２０は、たとえば絶縁性を有する樹脂を材質として形成されていて、このボビン２０は、巻線部２１と、鍔部２２と、端子電極固定部２３とを有している。巻線部２１は、円筒形状に設けられていて、この巻線部２１に巻線３１を巻回させた巻線コイル３０が設けられている。また、巻線部２１の上下方向（Ｚ方向）の両端側には、それぞれ鍔部２２が設けられている。鍔部２２は、その外周側が巻線部２１よりも大径の円形リング状に設けられていて、それによって巻線部２１に巻回される巻線コイル３０の位置決めを行うことを可能としている。
【００１７】
また、図１および図２に示すように、一対の鍔部２２のうち、上方側（Ｚ１側）に位置する鍔部２２ａには、端子電極固定部２３が設けられている。端子電極固定部２３は、鍔部２２ａの周方向における所定位置から上方側（Ｚ１側）に向かって突出する部分である。図１〜図３に示すように、この端子電極固定部２３には、台座部２３１と、端子案内部２３２と、仕切り部２３３とが設けられている。
【００１８】
台座部２３１は、端子電極固定部２３のうち鍔部２２ａ側に位置する部分であり、いわば端子電極固定部２３の付け根側に存在する部分である。この台座部２３１は、後述する端子電極４０の下方側（Ｚ２側）の端部が載置される部分であり、そのため台座部２３１のＸ方向の寸法は、端子案内部２３２および端子電極４０のＸ方向の寸法（それぞれの厚み寸法）よりも大きく設けられている。また、図１〜図３等に示す構成においては、台座部２３１のＹ方向の寸法は、端子案内部２３２の寸法と同等となっている。しかしながら、台座部２３１のＸ方向およびＹ方向のそれぞれの寸法は、端子電極４０の下方側（Ｚ２側）の端部を良好に載置可能であれば、どのような寸法であっても良い。
【００１９】
また、端子案内部２３２は、台座部２３１よりも上方側（Ｚ１側）に向かって延伸している部分である。この端子案内部２３２は、台座部２３１のうち中心側（Ｘ１側）の部位から上方側（Ｚ１側）に向かって延伸している。また、図１〜図３等に示す構成では、端子案内部２３２の幅寸法（Ｙ方向の寸法）は、端子電極４０の幅寸法（Ｙ方向の寸法）よりも大きく設けられている。しかしながら、端子案内部２３２の幅寸法（Ｙ方向の寸法）は、端子電極４０の幅寸法（Ｙ方向の寸法）と同等か、それよりも小さく設けられていても良い。また、端子電極４０の高さ寸法（Ｚ方向の寸法）等に対応させて、端子案内部２３２の幅寸法（Ｙ方向の寸法）よりも高さ寸法（Ｚ方向）の寸法が大きく設けられているが、端子案内部２３２の幅寸法（Ｙ方向の寸法）よりも高さ寸法（Ｚ方向）の方が小さく設けられていても良く、両者が同等であっても良い。
【００２０】
また、端子案内部２３２の上端側（Ｚ１側の端部側）には、位置決め部２３２ａが設けられている。位置決め部２３２ａは、図１〜図３等に示す構成では、端子案内部２３２の上端側において幅方向（Ｙ方向）の両端側を残存させつつ凹形状に切り欠いた形状に設けられている。そして、この位置決め部２３２ａに、端子電極４０とは別部品であるユーザ端子５０（他の端子に対応）を位置させることにより、ユーザ端子５０の位置決めを行うことを可能としている。なお、端子電極４０の下端側（Ｚ２側）が台座部２３１に当接した状態においては、端子電極４０の上面位置は、位置決め部２３２ａの下方側（Ｚ２側）の位置（底部）よりも高いか、または同等の高さに設けられている。それにより、位置決め部２３２ａに位置するユーザ端子５０は、端子電極４０に接触することが可能となっている。
【００２１】
また、端子案内部２３２の幅方向（Ｙ方向）における中央部分には、仕切り部２３３が設けられている。仕切り部２３３は、一対の端子電極４０が互いに接触しないように隔てるための部分である。なお、本実施の形態では、上述した位置決め部２３２ａを規定する両端部のうち端子案内部２３２の幅方向（Ｙ方向）の中央側に位置する端部は、仕切り部２３３となっている。そして、この仕切り部２３３の上方側（Ｚ１側）の高さ位置は、端子案内部２３２の幅方向（Ｙ方向）の縁部側に位置する端部の高さ位置と同等に設けられている。しかしながら、かかる高さ位置は、ユーザ端子５０の位置決めを良好に行えるのであれば、同等でなくても良い。また、仕切り部２３３のＸ２側の端部は、台座部２３１のＸ２側の端部と同等の位置に設けられているが、同等の位置に設けられていなくても良い。
【００２２】
また、端子電極４０の高さ寸法（Ｚ方向の寸法）等に対応させて、仕切り部２３３においても、その幅寸法（Ｘ方向の寸法）よりも高さ寸法（Ｚ方向）の寸法が大きく設けられているが、当該仕切り部２３３においては、幅寸法（Ｘ方向の寸法）よりも高さ寸法（Ｚ方向）の方が小さく設けられていても良く、両者が同等であっても良い。
【００２３】
また、巻線コイル３０は、巻線３１を巻線部２１に巻回することにより構成されている。かかる巻線コイル３０を構成する巻線３１は、たとえば銅、銀、錫またはニッケルといった導電性を有する金属を材質とし、その金属の周囲をエナメルやポリアミドイミド等の樹脂が被覆して、巻線３１が絶縁性を備えるように構成している。なお、巻線３１の金属部分は、ある金属を芯材とし、その芯材の外側を別の金属が覆って金属被覆部を形成する構成としても良い。
【００２４】
上述の巻線３１の端末３１ａは、端子電極４０に接続される。端子電極４０は、その材質を導電性を有する金属を材質として、その表面にメッキ層が設けられる構成となっている。端子電極４０の材質としては、たとえばＳＵＳや銅、アルミニウムまたはアルミニウム合金等を始めとして、種々の金属を用いることが可能である。また、メッキ層は、本実施の形態では、たとえば銀、錫、ニッケル等を材質とした、銀メッキ、錫メッキ、ニッケルメッキ等が好ましいが、それ以外の材質からなるメッキ層であっても良い。
【００２５】
この端子電極４０は、長手部４１と、側片部４２と、取付部４３とを有している。長手部４１は、端子電極４０のうち上下方向（Ｚ方向）に沿って延伸する部分である。また、側片部４２は、長手部４１のうち取付部４３よりも下方側（Ｚ２側）の部位において、端子電極４０の幅方向（Ｙ方向）に沿って、長手部４１から突出する部分である。なお、本実施の形態では、Ｙ１側に位置する端子電極４０においては、側片部４２はＹ１側に設けられていて、Ｙ２側には設けられていない。また、Ｙ２側に位置する端子電極４０においては、側片部４２はＹ２側に設けられていて、Ｙ１側には設けられていない。この側片部４２は、図１、図２および図５等に示すように、巻線３１の端末３１ａを挟み込むように湾曲させられて一対の対向片部４２ａを有する状態となっていて、それらの対向片部４２ａの間に端末３１ａが位置して、その端末３１ａに対して導電性を有する状態で側片部４２（対向片部４２ａ）が接合されている。なお、かかる接合としては、溶接、拡散接合、半田付け、導電性接着剤による接着等、種々の手法を用いることが可能である。
【００２６】
また、取付部４３は、長手部４１の上端側（Ｚ１側の端部）に位置している。そのため、取付部４３は、側片部４２よりも上方側（Ｚ１側）に位置している。この取付部４３は、その延伸方向がＸ方向に沿うように設けられている。すなわち、取付部４３は長手部４１に対して略垂直に曲げられている。そのため、取付部４３の幅方向はＹ方向に沿うように設けられ、厚み方向は上下方向（Ｚ方向）に沿うように設けられている。
【００２７】
取付部４３には、嵌合部４３ａが設けられている。嵌合部４３ａは、本実施の形態では凹部であり、ユーザ端子５０に設けられている係合部５１ａが嵌まり込む構成となっている。なお、凹形状の嵌合部４３ａは、貫通した孔部であっても良く、非貫通の穴部であっても良い。また、嵌合部４３ａは凸部であっても良いが、この場合には、ユーザ端子５０の係合部５１ａは凹部を有する構成となる。
【００２８】
なお、取付部４３には、たとえば図１、図２、図５および図６等に示すようなユーザ端子５０が取り付けられるが、ユーザ端子５０は、取付部４３に接合される接合部５１を備えていて、この接合部５１には嵌合部４３ａに嵌まり込む係合部５１ａが設けられているが、本実施の形態では係合部５１ａは凸部となっている。また、図１、図２、図５および図６等に示すように、接合部５１の長さ寸法（Ｘ方向に沿う寸法）は、取付部４３の長さ寸法（Ｘ方向に沿う寸法）よりも大きく設けられている。それにより、接合部５１のＸ１側の部位は、位置決め部２３２ａに入り込み、この位置決め部２３２ａによって接合部５１が位置決めされる状態となっている。ただし、接合部５１と取付部４３の長さ寸法（Ｘ方向に沿う寸法）は、同程度であっても良く、接合部５１の長さ寸法（Ｘ方向に沿う寸法）は、取付部４３の長さ寸法（Ｘ方向に沿う寸法）よりも小さく設けられていても良い。
【００２９】
なお、ユーザ端子５０のうち、接合部５１以外の部位は、コイル部品１０の設置スペースや、コイル部品１０の配置形態等の関係で、種々の形態を採用することが可能となっている。たとえば、図１、図２および図５に示すユーザ端子５０（５０Ａ）においては、接合部５１から略垂直に折り曲げられて上下方向（Ｚ方向）に沿う上下延伸部５２を備え、さらに上下延伸部５２の上端側（Ｚ１側の端部）からコイル部品１０の上方側（Ｚ１側）かつ径方向中心側（Ｘ１側）に向かって斜めに折り曲げられた傾斜部５３を備えている。また、図６に示すユーザ端子５０（５０Ｂ）においては、図１、図２および図５に示すユーザ端子５０（５０Ａ）よりも長い上下延伸部５２を備え、その上下延伸部５２から略垂直に折り曲げられて径方向（Ｘ方向）に沿って延伸する垂直延伸部５４を備えている。
【００３０】
＜コイル部品１０の製造方法について＞
以上のような構成を有するコイル部品１０の製造方法について、以下に説明する。まず、樹脂成型用の金型を用いて、ボビン２０を作製する。また、ボビン２０の形成とは別に、端子電極４０を成形するための金型（端子金型）を用いて、端子電極４０も作製する。端子金型を用いて端子電極４０を作製した段階においては、側片部４２は湾曲させられていない状態となっている。
【００３１】
この後に、端子電極４０をボビン２０の端子電極固定部２３に取り付ける。この取り付けにおいては、長手部４１を端子案内部２３２に沿わせる状態とし、長手部４１と端子案内部２３２の間に接着剤を介在させる等の手法によって、端子電極４０を端子電極固定部２３に取り付ける。このとき、長手部４１の下端側（Ｚ２側）が台座部２３１に当接することが好ましい。なお、長手部４１と端子案内部２３２の取り付けは、接着には限られず、たとえば別途の固定具を用いて取り付けるようにしても良い。また、台座部２３１のうち端子案内部２３２の付け根の部分に穴部を設け、この穴部に端子電極４０の下端側（Ｚ２側の端部側）を差し込むことで、取り付けるようにしても良い。図３に示す構成においては、端子電極４０が差し込まれる穴部２３１ａが設けられている台座部２３１が示されている。
【００３２】
上述のようにして、ボビン２０に端子電極４０が取り付けられた後に、巻線部２１に巻線３１を巻回し、巻線コイル３０を形成する。そして、巻線コイル３０の端末３１ａを引き出して、その端末３１ａの所定の部分を側片部４２に位置させる。この後に、側片部４２を湾曲させて対向片部４２ａで端末３１ａを挟み込む状態とし、その後に側片部４２（対向片部４２ａ）と端末３１ａとを接合する。なお、上述したように、接合としては、溶接、拡散接合、半田付け、導電性接着剤による接着等、種々の手法を用いることが可能である。また、端末３１ａを接合する前に側片部４２を予め湾曲させて対向片部４２ａを形成しておき、その対向片部４２ａの間に端末３１ａを差し込むようにしても良い。以上のようにして、コイル部品１０が作製される。
【００３３】
そして、作製されたコイル部品１０の端子電極４０には、ユーザ端子５０が取り付けられる。この場合、端子電極４０の嵌合部４３ａとユーザ端子５０の係合部５１ａとを嵌め合わせると共に、接合部５１が位置決め部２３２ａに差し掛かる状態として、端子電極４０に対するユーザ端子５０の位置合わせを行いつつ、端子電極４０の取付部４３とユーザ端子５０の接合部５１とが当接する状態とする。この後に、たとえば溶接や半田付け等の手法によって、取付部４３と接合部５１との間の取り付けを行う。それにより、端子電極４０に対して、ユーザ端子５０が正確に位置合わせされた状態で、取り付けられる。
【００３４】
＜効果＞
以上のような構成のコイル部品１０においては、巻線コイル３０が接続される端子電極４０の品質のバラ付きを抑えることが可能となる。すなわち、端子電極４０は取付部４３を備え、この取付部４３を介してユーザ端子５０の接合部５１と接合される構成のため、種々のタイプのユーザ端子５０に取り付けられる端子電極４０は、１つのタイプを設ければ良く、それによって端子電極４０に品質のバラ付きが生じるのを抑えることが可能となる。
【００３５】
このように、端子電極４０のタイプ毎に品質のバラ付きが生じるのを抑えることが可能となり、そのタイプ毎に端子電極４０と巻線３１の端末３１ａとを溶接するための溶接条件の設定を変更する必要もなくなる。それにより、コイル部品１０の品質にバラ付きが生じるのを抑えることが可能となる。
【００３６】
ここで、従来のコイル部品を図７に示す。従来のコイル部品においては、端子電極は、本実施の形態におけるユーザ端子をも含めて一体化された構成となっている。このため、種々のタイプの端子電極に対応する端子金型も、それぞれの端子電極のタイプ毎に存在しているが、端子金型の品質にはバラ付きがあり、かかる端子金型によって形成される端子電極も、そのタイプ毎にバラ付きが生じることが多い。その結果、端子電極と巻線コイルの端末とを溶接するための溶接条件の設定を変更する必要が生じ、コイル部品の品質にバラ付きが生じるのを抑制することは困難となっている。しかしながら、本実施の形態では、端子電極４０は、１つのタイプを設ければ良いため、端子電極４０に品質のバラ付きが生じるのを抑えることが可能となり、コイル部品１０の品質にバラ付きが生じるのを抑えることが可能となる。
【００３７】
また、本実施の形態では、端子電極４０を形成するための端子金型は、１つのタイプの端子電極４０に対応したもの設ければ良くなるため、種々のタイプの端子電極４０に対応した端子金型を設ける場合と比較して、コイル部品１０を作製するためのコストを低減することが可能となる。
【００３８】
また、本実施の形態では、端子電極４０は、端子電極固定部２３の端子案内部２３２と仕切り部２３３とによって位置決めされた状態で、端子電極固定部２３に取り付けられる。そのため、端子電極４０を取り付ける際に、その位置決めを良好に行うことが可能となる。また、端子案内部２３２および仕切り部２３３によって、端子電極４０をＺ方向に沿って案内させることが可能となり、それによっても端子電極４０を取り付ける際の位置決めを良好に行うことが可能となる。
【００３９】
さらに、本実施の形態では、取付部４３は、嵌合部４３ａを備えていて、この嵌合部４３ａがユーザ端子５０の係合部５１ａに嵌まり込むことによって、ユーザ端子５０が端子電極４０に対して位置決めされる。そのため、端子電極４０にユーザ端子５０を取り付ける際に、その位置決めを良好に行うことが可能となる。
【００４０】
また、本実施の形態では、端子案内部２３２のうち台座部２３１から離間する上方側の端部（Ｚ１側の端部）には、ユーザ端子５０を位置決めする位置決め部２３２ａが設けられている。そのため、端子電極４０にユーザ端子５０を取り付ける際に、その位置決めを一層良好に行うことが可能となる。
【００４１】
さらに、本実施の形態では、取付部４３は、側片部４２よりも上方側（Ｚ１側）に設けられている。それにより、取付部４３と側片部４２とは、上下方向（Ｚ方向）において位置がずれた状態となり、両者の間の距離が大きくなる。そのため、ユーザ端子５０の接合部５１を、端子電極４０の取付部４３に対して溶接等によって取り付ける際に、既に端末３１ａが取り付けられている側片部４２に、熱によるダメージが生じるのを低減することが可能となる。それによって、コイル部品１０の製品寿命を延ばすことが可能となる。
【００４２】
＜変形例＞
以上、本考案の一実施の形態に係るコイル部品１０について説明したが、本考案はこれ以外にも種々変形可能となっている。以下、それについて述べる。
【００４３】
上述の実施の形態では、コイル部品１０は、端子電極４０とは別部品であるユーザ端子５０を含めない概念として説明されている。しかしながら、コイル部品１０の概念にユーザ端子５０を含めるようにしても良い。
【００４４】
また、上述の実施の形態においては、取付部４３は、端子電極４０の長手部４１の上端側（Ｚ１側の端部）に位置している。しかしながら、取付部４３は、長手部４１のうち上下方向（Ｚ方向）の途中に存在する構成としても良い。また、上述の実施の形態では、取付部４３は、長手部４１に対して略垂直に曲げられている。しかしながら、取付部４３は、長手部４１に対して略垂直に曲げられる構成以外にも、長手部４１に対して略垂直以外の角度をなして（傾斜する状態で）曲げられていても良い。
【００４５】
また、取付部４３は、長手部４１に対して曲げられない構成としても良く、この場合には、長手部４１と取付部４３は、面一の状態となることが好ましい。しかしながら、この場合において長手部４１と取付部４３の厚み寸法を異ならせ、両者の間に段差が存在することによって面一とはならない構成としても良い。
【００４６】
さらに、上述の実施の形態では、端子電極固定部２３は、台座部２３１を有する構成となっている。しかしながら、端子電極固定部２３は、台座部２３１を有さない構成としても良い。
【００４７】
また、上述の実施の形態では、巻線部２１の上下方向（Ｚ方向）の両端側には、それぞれ鍔部２２が設けられている。しかしながら、巻線部２１の上方側（Ｚ１側）のみに、鍔部２２を設ける構成としても良い。また、巻線部２１の下方側（Ｚ２側）のみに、鍔部２２を設ける構成としても良いが、この場合には、端子電極固定部２３は下方側（Ｚ２側）の鍔部２２に設けられる構成となる。なお、端子電極固定部２３は、一対の鍔部２２の両方に設けられる構成としても良い。
【００４８】
さらに、上述の実施の形態では、ボビン２０の巻線部２１は円筒形状に設けられていると共に、鍔部２２は円形リング状に設けられるものとしている。しかしながら、巻線部２１は円筒形状には限られず、たとえば角筒形状、楕円筒形状、長円筒形状等、種々の形状を採用することが可能であり、鍔部２２もそれに対応するように、矩形リング状、楕円形リング状、長円リング状等、種々の形状を採用することが可能である。
【産業上の利用可能性】
【００４９】
本考案のコイル部品は、電気機器の分野において利用することができる。
【符号の説明】
【００５０】
１０…コイル部品
２０…ボビン
２１…巻線部
２２，２２ａ…鍔部
２３…端子電極固定部
３０…巻線コイル
３１…巻線
３１ａ…端末
４０…端子電極
４１…長手部
４２…側片部
４２ａ…対向片部
４３…取付部
４３ａ…嵌合部
５０…ユーザ端子（他の端子に対応）
５１…接合部
５１ａ…係合部
５２…上下延伸部
５３…傾斜部
５４…垂直延伸部
２３１…台座部
２３１ａ…穴部
２３２…端子案内部
２３２ａ…位置決め部
２３３…仕切り部
Ｌ…中心軸線
【図１】
0003174350.tif 000003
【図２】
0003174350.tif 000004
【図３】
0003174350.tif 000005
【図４】
0003174350.tif 000006
【図５】
0003174350.tif 000007
【図６】
0003174350.tif 000008
【図７】
0003174350.tif 000009